(57)【特許請求の範囲】
【請求項１】
外部と連通可能な出入部を有する袋部を備え、前記袋部が、その内面を形成する洗浄層を有し、かつ、前記洗浄層を覆って、手指の体脂質及び雑菌の浸入を防止する浸入防止層を有し、
前記洗浄層及び浸入防止層が可撓性を有し、前記袋部内に収納されたコンタクトレンズが袋部外部から擦り洗い可能にされていることを特徴とするコンタクトレンズ洗浄保存パック。
【請求項２】
前記洗浄層が、不織布から構成されていることを特徴とする請求項１に記載のコンタクトレンズ洗浄保存パック。
【請求項３】
前記出入部には、同出入部を閉鎖する閉鎖手段を備えていることを特徴とする請求項１又は請求項２に記載のコンタクトレンズ洗浄保存パック。
【請求項４】
前記閉鎖手段が、前記出入部に設けられたファスナーで形成されていることを特徴とする請求項３に記載のコンタクトレンズ洗浄保存パック。
【請求項５】
前記閉鎖手段が、前記出入部に取着されるクリップであることを特徴とする請求項３に記載のコンタクトレンズ洗浄保存パック。
【請求項６】
前記出入部が折り畳みされることにより、前記閉鎖手段が構成されることを特徴とする請求項３又は請求項５に記載のコンタクトレンズ洗浄保存パック。
【請求項７】
前記出入部が折り畳みされた状態を保持する保持手段を備えていることを特徴とする請求項６に記載のコンタクトレンズ洗浄保存パック。
【請求項８】
前記浸入防止層が、不滑性材質からなることを特徴とする請求項１乃至請求項７のうちいずれか１項に記載のコンタクトレンズ洗浄保存パック。
【請求項９】
前記袋部には、前記閉鎖手段により前記出入部が閉鎖された袋部を破り始めるための引裂開始部が縁部に設けられていることを特徴とする請求項３乃至請求項８のうちいずれか１項に記載のコンタクトレンズ洗浄保存パック。
【発明の詳細な説明】
【技術分野】
【０００１】
この発明は、コンタクトレンズを洗浄することができるとともに保存することができるコンタクトレンズ洗浄保存パックに関するものである。
【背景技術】
【０００２】
コンタクトレンズは、化粧品、体脂質、種々の汚染物質や微生物等がレンズ上に付着することから、定期的に洗浄を行う必要がある。そのため、従来、コンタクトレンズのケアのために、コンタクトレンズを洗浄するための洗浄シート等の洗浄クリーナが特許文献１〜４に示すように提案されている。
【０００３】
特許文献１では、洗浄クリーナとしてのパッドが、熱可塑性の重合体からなる不織繊維ウエブで形成され、該ウエブに界面活性剤が含浸されている。そして、例えば、前記ウエブを人指し指等に巻き付けてコンタクトレンズに対して擦ることにより、コンタクトレンズの洗浄を行うようしている。
【０００４】
特許文献２では、タンパク質に親和性を有する繊維に洗浄液を含有せしめた洗浄クリーナが開示されている。この洗浄クリーナは、長方形、正方形、三角形などの方形状、円形状等の形状をした不織布シートで構成され、このシート上にコンタクトレンズをこすりつけることにより、コンタクトレンズ上のタンパク質を除去するようにしている。
【０００５】
特許文献３では、不織布からなる吸水性シート材に対して塩化ナトリウムや塩化カリウムのいずれかと、防腐剤と洗浄液とを含浸させることにより、洗浄クリーナが構成されている。そして、特許文献３では、クリーナを防水性の包装に入れて持ち運ぶことが開示されている。
【０００６】
特許文献４のコンタクトレンズの洗浄クリーナは、筒状に形成された樹脂多孔体から構成されている。そして、この筒状の洗浄クリーナを指に装着して洗浄液を含浸させた状態でコンタクトレンズにこすり合わせることによりコンタクトレンズを洗浄するようにしている。
【０００７】
なお、特許文献５には、手が挿入可能な防水性袋の外面に掻き取り素材と拭き取り素材が配置された清掃用布体が開示されている。
【特許文献１】特公平１−４６０４７号公報
【特許文献２】特開２０００−１９４６４号公報
【特許文献３】特開２００２−２９６５５０号公報
【特許文献４】特開２００４−１２６０４２号公報
【特許文献５】特開平１０−１４８４０号公報
【発明の開示】
【発明が解決しようとする課題】
【０００８】
ところが、特許文献１〜４の洗浄クリーナは、手指、爪によるレンズへの傷混入、及び手指からコンタクトレンズへの汚れの付着を完全に防止することができない。例えば、特許文献１〜３では、洗浄クリーナがシート状に形成されていると、洗浄時にコンタクトレンズを把持しそこなった際に、直接手指がコンタクトレンズに触れてしまい、手指の体脂質が付着することがある。
【０００９】
又、特許文献１〜３では、不織布や、不織繊維で形成されていることから、手指に付着した体脂質や雑菌が不織布や不織繊維を透過してしまい、透過した体脂質や雑菌により洗浄時にコンタクトレンズが汚染する虞もある。
【００１０】
さらに、特許文献１〜３では、洗浄クリーナがシート状に形成されているため、洗浄時にコンタクトレンズを覆うことはできず、空いているところからコンタクトレンズを落下させる虞がある。又、特許文献４では、親指や人指し指にそれぞれ洗浄クリーナを装着した状態で、コンタクトレンズを両指で挟み、擦り洗いをすることから、この場合、洗浄液等が洗浄クリーナに含浸されているため、コンタクトレンズを掴みそこねて落下させる虞もある。コンタクトレンズを落下させてしまうと、コンタクトレンズに傷が混入したり、レンズが損傷したり、レンズへの雑菌の付着等の虞がある。
【００１１】
なお、特許文献５で開示された清掃用布体は、台所回りのレンジや壁等を清掃する際に使用されるものであって、本願発明と構成及び使用目的が異なる。
本発明は、コンタクトレンズを洗浄する際に、コンタクトレンズを包み込みして落下の虞がなく、手指に付着した体脂質や雑菌が洗浄時にコンタクトレンズに付着することがなく、しかも、コンタクトレンズを装着しない場合はコンタクトレンズを保存することができるコンタクトレンズ洗浄保存パックの提供を目的としている。
【課題を解決するための手段】
【００１２】
請求項１の発明は、外部と連通可能な出入部を有する袋部を備え、前記袋部が、その内面を形成する洗浄層を有し、かつ、前記洗浄層を覆って、手指の体脂質及び雑菌の浸入を防止する浸入防止層を有し、前記洗浄層及び浸入防止層が可撓性を有し、前記袋部内に収納されたコンタクトレンズが袋部外部から擦り洗い可能にされていることを特徴とするコンタクトレンズ洗浄保存パックを要旨とするものである。
【００１３】
請求項１の発明によれば、洗浄者は、袋部内に予め洗浄液を入れて洗浄層に含浸せしめ、或いは、コンタクトレンズとともに洗浄液を袋部内に入れてコンタクトレンズを袋部に収納した状態で袋部の外部から指を使用してコンタクトレンズを擦り洗いする。洗浄者による擦り洗い時には、浸入防止層により袋部の内部への手指の体脂質及び雑菌の浸入が防止され、又、洗浄液の袋部外部への漏出が防止される。
【００１４】
又、袋部の外部からコンタクトレンズが擦り洗いされることにより、洗浄者自身の手指、爪によるコンタクトレンズへの傷の混入が防止され、又、袋部内にコンタクトレンズが収納された状態で洗浄が行われることからコンタクトレンズの落下が、従来と異なり、抑制される。又、擦り洗いの終了後は、洗浄者は洗浄液を出入部から排出し、新しい洗浄液（保存液）を入れてコンタクトレンズを袋部に収納した状態で保存する。
【００１５】
又、洗浄層及び浸入防止層が可撓性を有することから、袋部に収納されたコンタクトレンズの形状に応じて洗浄層や浸入防止層が変形されるため、コンタクトレンズに対する洗浄層の擦り洗い時の洗浄性が高められる。
【００１６】
請求項２の発明は、請求項１において、前記洗浄層が、不織布から構成されていることを特徴とする。請求項２の発明によれば、洗浄液が袋部に入れられると洗浄層が洗浄液を好適に含浸し、コンタクトレンズ洗浄時に、コンタクトレンズの洗浄が良好に行われる。
【００１７】
請求項３の発明は、請求項１又は請求項２において、前記出入部には、同出入部を閉鎖する閉鎖手段を備えていることを特徴とする。請求項３の発明によれば、閉鎖手段により出入部が閉鎖されて、コンタクトレンズの洗浄時及び保存時において、完全に包み込みするため、コンタクトレンズや、洗浄液が外部へ出ることがなくなる。
【００１８】
請求項４の発明は、請求項３において、前記閉鎖手段が、前記出入部に設けられたファスナーで形成されていることを特徴とする。請求項４によれば、ファスナーにより、請求項３の作用を容易に実現できる。
【００１９】
請求項５の発明は、請求項３において、前記閉鎖手段が、前記出入部に取着されるクリップであることを特徴とする。請求項５によれば、クリップにより、請求項３の作用を容易に実現できる。
【００２０】
請求項６の発明は、請求項３において、前記出入部が折り畳みされることにより、前記閉鎖手段が構成されることを特徴とする。請求項６によれば、出入部が折り畳みされることにより、請求項３の作用を容易に実現できる。
【００２１】
請求項７の発明は、請求項６において、前記出入部が折り畳みされた状態を保持する保持手段を備えていることを特徴とする。請求項７によれば、保持手段により、前記出入部が折り畳みされた状態に保持され、すなわち、閉塞状態に保持される。
【００２２】
請求項８の発明は、請求項１乃至請求項７のうちいずれか１項において、前記浸入防止層が、不滑性材質からなることを特徴とする。請求項８によれば、浸入防止層が不滑性材質から形成されているため、浸入防止層を介して袋部の外部から袋部内に収納されたコンタクトレンズを手指で擦り洗いする際に、手指が浸入防止層から滑ることがなく、良好にコンタクトレンズを擦り洗いすることができる。
【００２３】
請求項９の発明は、請求項３乃至請求項８のうちいずれか１項において、前記袋部には、前記閉鎖手段により前記出入部が閉鎖された袋部を破り始めるための引裂開始部が縁部に設けられていることを特徴とする。
【００２４】
請求項９によれば、引裂開始部により、出入部が閉鎖された袋部を破ることができ、容易に、袋部に保存されたコンタクトレンズを取り出すことができる。
【発明の効果】
【００２５】
請求項１の発明によれば、コンタクトレンズを洗浄する際に、コンタクトレンズを包み込みして落下の虞がなく、手指に付着した体脂質や雑菌が洗浄時にコンタクトレンズに付着することがなく、しかも、コンタクトレンズを装着しない場合はコンタクトレンズを保存することができる。
【００２６】
また、袋部に収納されたコンタクトレンズの形状に応じて洗浄層や浸入防止層が変形されるため、コンタクトレンズに対する洗浄層の擦り洗い時の洗浄性を高めることができる。
【００２７】
請求項２の発明によれば、洗浄液が袋部に入れられると洗浄層が洗浄液を好適に含浸し、コンタクトレンズ洗浄時に、コンタクトレンズの洗浄を良好に行うことができる。
請求項３の発明によれば、閉鎖手段により出入部が閉鎖されて、コンタクトレンズの洗浄時及び保存時において、コンタクトレンズや、洗浄液が外部へ出ることがなくなる。
【００２８】
請求項４の発明によれば、ファスナーにより、請求項３の効果を容易に実現できる。
請求項５の発明によれば、クリップにより、請求項３の効果を容易に実現できる。
請求項６の発明によれば、出入部が折り畳みされることにより、請求項３の効果を容易に実現できる。
【００２９】
請求項７によれば、保持手段により、前記出入部が閉塞状態に保持でき、洗浄液或いは保存液、並びにコンタクトレンズが袋部から外へ出ることが防止できる。
請求項８の発明によれば、浸入防止層が不滑性材質から形成されているため、浸入防止層を介して袋部の外部から袋部内に収納されたコンタクトレンズを手指で擦り洗いする際に、手指が浸入防止層から滑ることがなく、良好にコンタクトレンズを擦り洗いすることができる。
【００３０】
請求項９の発明によれば、引裂開始部により、出入部が閉鎖された袋部を容易に破ることができ、袋部に保存されたコンタクトレンズを簡単に取り出すことができる。
【発明を実施するための最良の形態】
【００３１】
以下、本発明のコンタクトレンズ洗浄保存パック（以下、単にパックという）を具体化した第１実施形態を図１〜図３を参照して説明する。
パック１０は、長方形をなす一対の積層シート１２が４辺のうち３辺にて接着されることにより形成された袋部１４を有する。袋部１４の周辺のうち、接着されていない辺には、出入部１６が形成されている。すなわち、本実施形態では、出入部１６は、積層シート１２の長手方向Ａに位置する一方の辺縁部に出入部１６が設けられて、積層シート１２の短手方向Ｂに延出されている。
【００３２】
積層シート１２は、袋部１４の内面を形成する洗浄層１８と、同洗浄層１８の外面側に積層された浸入防止層２０とから形成されている。
洗浄層１８は、不織布からなる。洗浄層１８は、操作がしやすい厚さ、例えば、０．１〜５mm、好ましくは、０．１〜１ｍｍの厚さを有する。不織布は、繊維ウエブを形成する単量体の重合体及び共重合体からなる材料から形成され、可撓性を有する。これらの重合体としては、ポリエチレン、ポリプロピレン等のポリアルキレン、ポリ塩化ビニルや、種々のナイロン等のポリアミド、ポリスチレン、ポリアリールスルホン、ポリ（エチレンテレフタレート）等のポリエステル、ポリエーテルポリウレタン等のポリウレタン等がある。不織布は、微細繊維及びけん縮ステープルフアイバーの均質ブレンドである組合せで構成されていてもよい。
【００３３】
ポリプロピレン、ポリスチレン、ポリエチレン、ポリエステル及び他のウエブ形成繊維は、非常に低い毛羽発生を与えるために公知のエンボシング及びピローシングの方法で加工できる。
【００３４】
不織布の繊維直径は、重合体の特性がコンタクトレンズをひっかき得ないように、かつ、タンパク質、脂質、及び生物学的由来の汚染物質をコンタクトレンズから除くために、非常に小さいものが好ましい。不織布の繊維直径は、平均直径が５０μｍ以下、好ましくは、２０μｍ以下、さらに好ましくは、１０μｍ程度のものがよい。なお、図１、図２では、説明の便宜上、洗浄層１８、浸入防止層２０の厚さは誇張して示されている。
【００３５】
浸入防止層２０は、不滑性材質として天然ゴムや、ネオプレンゴム、クロロプレンゴム、シリコーンゴム等の合成ゴムからなり、可撓性を有する。これらの不活性材質から浸入防止層２０が形成される場合は、洗浄時にその表面に指当てした場合、指が滑らなくて好ましい。前記ゴム以外に、浸入防止層２０は、ＰＶＣ樹脂、アクリル樹脂、シリコーン樹脂、ウレタン樹脂、ポリエチレン（ＰＥ）樹脂、ポリプロピレン（ＰＰ）樹脂、ポリエステル樹脂（ＰＥＴ）等の合成樹脂にて形成して、可撓性を有していてもよい。浸入防止層２０は、洗浄液が外に漏れ出るのを防ぐ防水機能及び手指の体脂質や雑菌等が内部に浸入するのを防止するため、十分な厚さ、例えば、０．０５ｍｍ以上、好ましくは、０．０５ｍｍ〜２．０ｍｍの厚さを有する。
【００３６】
浸入防止層２０は、ゴム又は樹脂のフィルム、溶液、ペースト、又はストレートなどを用いて、カレンダリング、コーティング等の公知の方法によって洗浄層１８に積層されている。なお、浸入防止層２０を形成するこれらのゴム又は樹脂には、安定剤、可塑剤、着色剤、紫外線吸収剤等の他の機能付与剤が含まれていてもよい。
【００３７】
パック１０（すなわち、袋部１４）を形成する場合、一対の積層シート１２の洗浄層１８が互いに対向するように面合わせされた状態で、一辺を残して３辺がヒートシール或いは接着剤を使用して接合される。
【００３８】
さて、上記のように構成されたパック１０の作用を説明する。
図１、図２に示すように、洗浄者は出入部１６を介してコンタクトレンズＣＬ及び界面活性剤を含む洗浄液Ｓを袋部１４内に入れる。なお、洗浄者は、コンタクトレンズＣＬを入れる前に洗浄液Ｓを袋部１４内に予め入れて洗浄層１８に含浸させてもよい。この状態で、図３（ａ）に示すように、洗浄者は出入部１６を閉じた状態にし、図３（ｂ）に示すように、積層シート１２の出入部１６側の辺縁部を１回以上巻回するようにして折り畳む。なお、図３（ａ）、（ｂ）では、各積層シート１２は説明の便宜上、２層（洗浄層１８，浸入防止層２０）分を１層分として図示されている。
【００３９】
この折り畳んだ状態で、図３（ｂ）で示すようにクリップ２２で折り畳まれた部分を挟み込みし出入部１６を閉じた状態にして密封保持する。
本実施形態では、出入部１６の辺縁部が折り畳まれること及びクリップ２２がそれぞれ閉鎖手段に相当する。
【００４０】
なお、クリップ２２は底壁２２ａと、底壁２２ａの両側縁から延びる一対の側壁２２ｂにより横断面が略コ字状に形成され、両側壁２２ｂは間隔は先端へ行くほどが幅狭となるようにして弾性を有している。又、クリップ２２はその長さがパック１０の長さと略同一に形成され、前記出入部１６側の辺縁部の折り畳まれた部位を挟み込みした際に、両側壁２２ｂにて同折り畳まれた部位を全長に亘って弾性的に包持することにより、洗浄液Ｓが袋部１４から外部への漏出を防止する。このクリップ２２は、長さ方向（すなわち、図３（ａ）において、紙面に直交する方向）の両端が開口されている。
【００４１】
クリップ２２の前記折り畳まれた部位への装着は、前記両側壁２２ｂの長さ方向のいずれか一方の開口する部分から、折り畳まれた部分を抜き差し可能に挿入するか、或いは、図３（ｂ）に示すように折り畳まれた部位に対して両側壁２２ｂをその弾性に抗して開いた状態にして、咬着するようにしてはめ込むことにより行われる。
【００４２】
上記のようにして洗浄者は出入部１６を閉塞状態に保持し、この状態で、袋部１４の外部から指を当て、すなわち、洗浄層１８をコンタクトレンズＣＬに当て擦り洗いをする。この擦り洗い時において、浸入防止層２０が不滑性材質であるゴムで形成されている場合には、指が浸入防止層２０から滑ることがなく、良好にコンタクトレンズＣＬを擦り洗いすることができる。
【００４３】
擦り洗いが終了した場合、洗浄者は、クリップ２２を取り外して、折り畳まれた部位の出入部１６を開口して、袋部１４内の洗浄液Ｓを外部へ排出し、必要がある場合、新たな洗浄液を袋部１４に入れてすすぎ洗いをし、この後、すぐにコンタクトレンズＣＬを使用する場合は、コンタクトレンズＣＬをパック１０から取り出して眼に装用する。又、すぐにコンタクトレンズＣＬを使用しない場合には、洗浄者は袋部１４内に生理食塩水等の保存液や或いは洗浄液を入れ、洗浄時と同様に、出入部１６の辺縁部を折り畳みした状態でクリップ２２を装着して密封し、この状態で保存する。
【００４４】
このようにしてクリップ２２は、出入部１６の辺縁部を巻回状態に保持する保持手段に相当する。
さて、上記の実施形態によれば、下記の効果を奏する。
【００４５】
（１）  本実施形態のパック１０は、外部と連通可能な出入部１６を有する袋部１４を備え、袋部１４が、その内面を形成する洗浄層１８を有し、かつ、洗浄層１８を覆って、手指の体脂質及び雑菌の浸入を防止する浸入防止層２０を有する。このため、洗浄者は、袋部１４内に予め洗浄液Ｓを入れて洗浄層１８に含浸せしめ、或いは、コンタクトレンズＣＬとともに洗浄液Ｓを袋部１４内に入れてコンタクトレンズＣＬを袋部１４に収納した状態で袋部１４の外部から指を使用してコンタクトレンズＣＬを擦り洗いできる。そして、洗浄者による擦り洗い時には、浸入防止層２０により袋部１４の内部への手指の体脂質及び雑菌の浸入が防止され、又、洗浄液Ｓの袋部１４外部への漏出が防止できる。又、袋部１４の外部からコンタクトレンズＣＬが擦り洗いされることにより、洗浄者自身の手指、爪によるコンタクトレンズＣＬへの傷の混入が防止でき、又、袋部１４内にコンタクトレンズＣＬが収納された状態で洗浄が行われることからコンタクトレンズＣＬの落下が、従来と異なり、抑制される。又、擦り洗いの終了後は、洗浄者は洗浄液を出入部１６から排出し、新しい洗浄液（保存液）を入れてコンタクトレンズＣＬを袋部１４に収納した状態で保存できる。
【００４６】
この結果、コンタクトレンズＣＬを洗浄する際に、コンタクトレンズＣＬを包み込みして落下の虞がなく、手指に付着した体脂質や雑菌が洗浄時にコンタクトレンズＣＬに付着することがなく、しかも、コンタクトレンズＣＬを装着しない場合はコンタクトレンズＣＬを保存することができる。
【００４７】
（２）  本実施形態のパック１０は、洗浄層１８及び浸入防止層２０が可撓性を有し、袋部１４内に収納されたコンタクトレンズＣＬが袋部１４外部から擦り洗い可能にされている。この結果、洗浄層１８及び浸入防止層２０が可撓性を有することから、袋部１４に収納されたコンタクトレンズＣＬの形状に応じて洗浄層１８や浸入防止層２０が変形できるため、コンタクトレンズＣＬに対する洗浄層１８の擦り洗い時の洗浄性が高められる。
【００４８】
（３）  本実施形態のパック１０は、洗浄層１８が、不織布から構成されている。この結果、本実施形態では洗浄液Ｓが袋部１４に入れられると洗浄層１８が洗浄液を好適に含浸し、コンタクトレンズ洗浄時に、コンタクトレンズＣＬの洗浄が良好に行うことができる。
【００４９】
（４）  本実施形態のパック１０は、出入部１６には、同出入部１６を閉鎖する閉鎖手段として、出入部１６に取着されるクリップ２２を備える。この結果、クリップ２２により出入部１６が閉鎖されて、コンタクトレンズＣＬの洗浄時及び保存時において、コンタクトレンズＣＬや、洗浄液Ｓ（保存液）が外部へ出ることがなくなる。特に本実施形態では、出入部１６を密封できるため、上記効果をより高めることができる。
【００５０】
（５）  又、本実施形態のパック１０は、出入部１６が折り畳みされることにより、出入部１６を閉塞する閉鎖手段が構成される。この結果、折り畳みされることにより出入部１６が閉鎖されて、コンタクトレンズＣＬの洗浄時及び保存時において、コンタクトレンズＣＬや、洗浄液Ｓ（保存液）が外部へ出ることがなくなる。又、本実施形態では、クリップ２２にて、折り畳みされた部位の折り畳み状態を保持できるため、洗浄液Ｓ（又は保存液）の外部の漏出がなく、コンタクトレンズＣＬを長期に亘って良好に保存することができる。
【００５１】
（６）  本実施形態のパック１０は、出入部１６が折り畳みされた状態を保持するクリップ２２（保持手段）を備えているため、洗浄時や保存時に出入部１６が折り畳みされた状態に保持でき、すなわち、閉塞状態に保持でき、洗浄液或いは保存液、並びにコンタクトレンズが袋部１４から外へ出ることが防止できる。
【００５２】
（７）  本実施形態のパック１０は、浸入防止層２０が、不滑性材質からなるため、浸入防止層２０を介して袋部１４の外部から袋部１４内に収納されたコンタクトレンズＣＬを手指で擦り洗いする際に、手指が浸入防止層２０から滑ることがなく、良好にコンタクトレンズＣＬを擦り洗いすることができる。
【００５３】
（第２実施形態）
次に第２実施形態を図４を参照して説明する。なお、第２実施形態を含めて以下で説明する他の実施形態において、第１実施形態と同一構成、及び相当する構成については第１実施形態の構成と同一符号を付してその詳細な説明を省略し、異なる構成を中心に説明する。なお、図４（ａ）、（ｂ）では、各積層シート１２は説明の便宜上、２層（洗浄層１８，浸入防止層２０）分を１層分として図示されている。
【００５４】
第２実施形態のパック１０は、出入部１６の辺縁部において、一方の積層シート１２には両面粘着テープ２４が出入部１６の積層シート１２の短手方向Ｂ（図４（ａ）において、紙面に直交する方向）に延びるようにして貼着されている。なお、図４（ａ）においては、パック１０を使用する前は、両面粘着テープ２４を取着する積層シート１２と反対側の粘着面には、剥離シート２６が貼着されている。
【００５５】
このパック１０を使用して、コンタクトレンズＣＬを洗浄する場合、洗浄者は袋部１４内に第１実施形態と同様に洗浄液ＳやコンタクトレンズＣＬを入れた状態にし、剥離シート２６を両面粘着テープ２４から剥離する。そして、洗浄者は、図４（ｂ）に示すように、積層シート１２の出入部１６側の辺縁部を１回転巻回するようにして折り畳みし、剥離シート２６が貼着されていた両面粘着テープ２４の粘着面を積層シート１２に貼着する。このようにすると、出入部１６が密封状態に保持される。この状態で第１実施形態と同様に洗浄者は、袋部１４の外部から指を当て、すなわち、洗浄層１８をコンタクトレンズＣＬに当て擦り洗いをする。
【００５６】
擦り洗いした後は、洗浄者は両面粘着テープ２４の一方の積層シート１２に対する貼着及び積層シート１２の出入部１６側の辺縁部の巻回を解除して出入部１６を開口する。この後、洗浄者は第１実施形態と同様にしてコンタクトレンズＣＬを眼に装用するか、或いは、袋部１４に保存液を入れて再び出入部１６側の辺縁部を前記と同様に巻回して両面粘着テープ２４で巻回状態を保持し、コンタクトレンズＣＬを保存する。
【００５７】
このように、両面粘着テープ２４は、出入部１６の辺縁部を巻回状態に保持する保持手段に相当する。
第２実施形態では、第１実施形態の（１）〜（３），（５），（７）と同様の効果を奏する他に下記の特徴がある。
【００５８】
（１）  本実施形態のパック１０は、第１実施形態のクリップ２２の代わりに、両面粘着テープ２４を設けることにより、第１実施形態のクリップが果たした（４），（６）と同様の効果を奏する。
【００５９】
（第３実施形態）
次に、第３実施形態を図５を参照して説明する。第３実施形態のパック１０は、出入部１６の辺縁部の積層シート１２は、短手方向Ｂ（長手方向Ａと直交する方向）の全長に亘って、洗浄層１８が除かれて、互いに対向する浸入防止層２０の内面には、レールファスナー２８が設けられている。レールファスナー２８は、一方の積層シート１２の浸入防止層２０内面に対して形成された雄型レール２８ａと、他方の積層シート１２の浸入防止層２０内面に対して形成された雌型レール２８ｂからなり、雄型レール２８ａ，雌型レール２８ｂとが互いに嵌合離脱可能になっている。そして、雄型レール２８ａ，雌型レール２８ｂとが嵌合された際に、出入部１６が密閉される。
【００６０】
このように第３実施形態では、レールファスナー２８が設けられていることにより、出入部１６を密閉状態と開放状態とが選択的にできる。レールファスナー２８は、閉鎖手段に相当する。
【００６１】
又、本実施形態では、長手方向Ａにおいて、袋部１４を挟んで出入部１６とは反対側の端面に引裂開始部としての切り欠き３０が形成されている。すなわち、この切り欠き３０は、積層シート１２同士が接着された辺縁部に対して切り欠き形成され、切り欠き方向はその延長した直線上に、袋部１４が位置することが好ましい。そして、コンタクトレンズＣＬが保存された状態で、コンタクトレンズＣＬを使用する必要がある場合、使用者が切り欠き３０を引裂開始点としてパック１０の端部を持って引っ張ると切り欠き３０から引き裂かれて、袋部１４が破れ、保存収納されたコンタクトレンズＣＬを容易に取り出すことができる。
【００６２】
従って、第３実施形態では、第１実施形態の（１）〜（３），（７）と同様の効果を奏する他に下記の特徴がある。
（１）  本実施形態のパック１０は、出入部１６には、同出入部１６を閉鎖する閉鎖手段として、レールファスナー２８を備える。この結果、レールファスナー２８により出入部１６が閉鎖されて、コンタクトレンズＣＬの洗浄時及び保存時において、コンタクトレンズＣＬや、洗浄液Ｓ（保存液）が外部へ出ることがなくなる。
【００６３】
（２）  本実施形態のパック１０は、切り欠き３０（引裂開始部）により、出入部１６が閉鎖された袋部１４を破ることができ、容易に、袋部１４に保存されたコンタクトレンズを取り出すことができる。
【００６４】
なお、本発明の実施形態は、前記実施形態に限定されるものではなく、下記のように構成を変更してもよい。
○  前記各実施形態では、積層シート１２は、長方形に形成したが、長方形に限定されるものではなく、正方形、三角形、多角形、円形、楕円形に形成してもよい。この場合，同形にカットされた一対の積層シートを洗浄層１８が互いに対向するように配置して、周辺のうち一部に出入部を残すようにして残りの周縁部を互いに接着するようにすればよい。
【００６５】
○  前記各実施形態において、浸入防止層２０と洗浄層１８との間に、さらに他の樹脂層が介在されていてもよい。
○  第１実施形態において、洗浄する際、出入部１６の周縁部を折り畳んだ状態を保持するためにクリップ２２を使用したが、クリップ２２を使用せずに、手で折り畳んだ状態を保持るようにしてもよい。
【００６６】
○  第３実施形態では、引裂開始部として、切り欠き３０を設けたが、袋部１４に達しないように、積層シート１２同士が接着された辺縁部に対してミシン目を形成し、同ミシン目を引裂開始部としてもよい。
【００６７】
○  第３実施形態において、レールファスナー２８の代わりに他の形式のファスナー、例えば面ファスナー等を設けても良い。
【図面の簡単な説明】
【００６８】
【図１】本発明を具体化した第１実施形態のパック１０の概略斜視図。
【図２】同じくパック１０の断面図。
【図３】（ａ）は、同じくパック１０の出入部１６の閉じた状態の側面図、（ｂ）は出入部１６を折り畳みした状態の側面図。
【図４】（ａ）は、第２実施形態のパック１０の出入部１６の閉じた状態の側面図、（ｂ）は出入部１６を折り畳みした状態の側面図。
【図５】（ａ）は、第３実施形態のパック１０の出入部１６の閉じた状態の側面図、（ｂ）は出入部１６を折り畳みした状態の側面図、（ｃ）は、第３実施形態のパック１０の概略斜視図。
【符号の説明】
【００６９】
１０…パック、１２…積層シート、１４…袋部、１６…出入部、
１８…洗浄層、２０…浸入防止層、
２２…クリップ（閉鎖手段、保持手段）、２２ａ…底壁、
２２ｂ…側壁、２４…両面粘着テープ（保持手段）、
２６…剥離シート、２８…レールファスナー（閉鎖手段）、
Ａ…長手方向、Ｂ…短手方向、ＣＬ…コンタクトレンズ、Ｓ…洗浄液。
【図１】
0005009751.tif 000002
【図２】
0005009751.tif 000003
【図３】
0005009751.tif 000004
【図４】
0005009751.tif 000005
【図５】
0005009751.tif 000006